(57)【要約】【課題】商品販売データ処理装置を必要に応じてＡＴＭ機器としても運用が可能な商品販売データ処理装置を提供することである。【解決手段】商品販売データ処理装置の本体と、本体に対して回動自在に支持され、画像を表示する為の表示面を有する表示部と、表示部が第１の回動位置と第２の回動位置との何れにあるかを検出する表示部角度検出部と、表示部が前記第１の回動位置にある場合に第１の接続サーバに接続させ、前記第２の回動位置にある場合に第２の接続サーバへの接続を制御する制御部とを商品販売データ処理装置に備えることを特徴とする。【選択図】図１
2014235647.tif 000002
【特許請求の範囲】
【請求項１】
商品販売データ処理装置の本体と、
前記本体に対して回動自在に支持され、画像を表示する表示面を有する表示部と、
前記表示部が第１の回動位置と第２の回動位置との何れにあるかを検出する表示部角度検出部と、
前記表示部が前記第１の回動位置にある場合に第１の接続サーバに接続させ、前記第２の回動位置にある場合には第２の接続サーバへの接続を制御する制御部と、
を有した商品販売データ処理装置。
【請求項２】
前記商品販売データ処理装置は外部接続インターフェイスおよび該外部接続インターフェイスに接続される外部接続機器の前記回動位置毎の接続可否情報を更に有し、
前記検出部にて検出された回動位置での接続が不可の外部接続機器との接続を遮断する請求項１に記載の商品販売データ処理装置。
【請求項３】
前記第１の接続サーバは商品販売データ処理時に運用するサーバであり、前記第２の接続サーバは現金自動預け払い機での処理時に運用するサーバであり、
前記表示部は第１の回動位置と、前記第１の回動位置に対して前記表示部の視認性が低い第２の回動位置に回動し、
前記第２の回動位置においては現金自動預け払い機での処理時に運用するサーバに接続する請求項１または請求項２に記載の商品販売データ処理装置。
【請求項４】
前記商品販売データ処理装置は時間制御をおこなうタイマおよび広告情報を更に有し、前記商品販売データ処理装置が予め定めた時間稼働しない場合は前記表示部に広告情報を表示させる請求項１または請求項２に記載の商品販売データ処理装置。
【発明の詳細な説明】
【技術分野】
【０００１】
本発明の実施態様は、商品販売データ処理装置に関する。
【背景技術】
【０００２】
従来より、商品販売データ処理装置（例えばＰＯＳ端末：Point of Sales）が店舗に設置されており、オペレータはこの商品販売データ処理装置を用いて客との商取引の決算処理をおこなう。
【０００３】
また、店舗においては、現金自動預け払い機端末（ＡＴＭ端末：Automated Teller Machine）を設置しており、客はＡＴＭを用いて預金の引き出し等をおこなっている。
【０００４】
ＰＯＳ端末、ＡＴＭ端末のいずれの機器も専用端末となっている。ＰＯＳ端末においては本体とディスプレイとをヒンジを介して回動自在に接続する事でオペレータと客が見るディスプレイを１つにして小型化する事は知られている。しかしながらＡＴＭ端末の機体は大型である事が多く、設置場所のスペースをとってしまう為、店舗面積の狭い店舗ではＡＴＭ機器設置が出来ない場合がある。また専用端末である為他業務に流用する事は出来ず、運用頻度が低い場合でも、店舗の一部を占有するよう設置されていた。
【先行技術文献】
【特許文献】
【０００５】
【特許文献１】特開２００３−４３９７８号公報
【発明の概要】
【発明が解決しようとする課題】
【０００６】
本発明が解決しようとする課題は、商品販売データ処理装置を必要に応じてＡＴＭ機器としても運用が可能な商品販売データ処理装置を提供することである。
【課題を解決するための手段】
【０００７】
上記課題を解決するために、商品販売データ処理装置の本体と、本体に対して回動自在に支持され、画像を表示する表示面を有する表示部と、表示部が第１の回動位置と第２の回動位置との何れにあるかを検出する表示部角度検出部と、表示部が前記第１の回動位置にある場合に第１の接続サーバに接続させ、前記第２の回動位置にある場合に第２の接続サーバへの接続を制御する制御部とを商品販売データ処理装置に備えることを特徴とする。
【図面の簡単な説明】
【０００８】
【図１】第１の実施形態に係るＰＯＳ端末の外観斜視図。
【図２】第１の実施形態に係るＰＯＳ端末のディスプレイ回動について説明する為の外観斜視図。
【図３】第１の実施形態に係るＰＯＳ端末の現金自動預け払い転用システム図。
【図４】第１の実施形態に係るＰＯＳ端末のシステム構成例を示すブロック図。
【図５】第１の実施形態に係るＰＯＳ端末の商品販売データ処理装置運用とＡＴＭ装置運用とを切替る切替方法決定流れ図。
【図６】第２の実施形態に係る視認性内容説明図。
【図７】第２の実施形態に係るＰＯＳ端末の商品販売データ処理装置運用とＡＴＭ装置運用とを切替る切替方法決定流れ図。
【図８】第３の実施形態に係る広告情報表示方法流れ図。
【発明を実施するための形態】
【０００９】
（第１の実施形態）
以下に、本発明の一実施形態に係る商品販売データ処理装置を、図１および図２を参照して詳細に説明する。
【００１０】
図１は、本実施形態にかかる商品販売データ処理装置であるＰＯＳ端末１の外観斜視図である。図１に示すように、ＰＯＳ端末１は、後述する各構成部材が収容された本体１０と、本体１０上に配設されたディスプレイ１１とを有している。ディスプレイ１１は本体１０に対してヒンジ１２を介して支持されており、この構成により、ディスプレイ１１は、図２（ａ）に示す第１の回動位置と、図２（ｂ）に示す第２の回動位置との間でヒンジ１２を軸として回動される。
【００１１】
ここで、第１の回動位置は、本体１０の上面にディスプレイ１１が接触する位置である。本体１０の上面は、本体を設置する設置面に対して傾斜を持つ様に構成されており、これによりディスプレイ１１は本体設置面に対して傾斜した状態となる。図２（ａ）に示す第１の回動位置は、ディスプレイ１１の表示面が店員であるオペレータによって矢印Ａ方向から見られることを想定した状態であり、その表示面にはＰＯＳ端末として運用する際に用いる表示がなされる。表示の際の文字の方向は矢印Ａ方向から確認するのに適した方向で表示される。
【００１２】
これに対し、第２の回動位置は、ディスプレイ１１が本体１０の上面より離れた状態であり、図２（ｂ）に示す様にθが略９０度となっている。第２の回動位置は、ＡＴＭ装置として運用する際に、ディスプレイ１１の表示面が客によって矢印Ｂ方向から矢印の方向に向いて見られることを想定した状態であり、その表示面にはＡＴＭ端末として運用する際に用いる表示がなされる。また表示の際の文字の方向は矢印Ｂ方向から確認するのに適した方向で表示され、前記の矢印Ａ方向から見られることを想定した文字の方向とは上下方向が反転した状態で表示がなされる。
【００１３】
ここで、ディスプレイ１１が本体１０に対して、第１の回動位置、第２の回動位置の何れであるかは、例えばディスプレイ１１に設けられた角度センサ１３によって検出する。角度センサ１３は、第１の回動位置の静電容量を基準とし、角度センサ１３が傾くと同時に静電容量も変化する。角度センサ１３はこの静電容量の変化を角度に変換する機能を有しており、この角度センサ１３の出力により、ディスプレイ１１が第１の回動位置、第２の回動位置の何れであるかを把握する事が可能となっている。なおこの角度センサ１３はディスプレイ１１が何れの回動位置になっているかを把握する表示部角度検出部であり、ディスプレイ１１が第１の回動位置、第２の回動位置の何れであるかを把握する事が可能であれば、重力センサ等であっても問題ない。
【００１４】
次に、図３にて、本実施形態に係る現金自動預け払い転用システム５００のシステム構成例を示す。
【００１５】
この現金自動預け払い転用システム５００は、商品を販売する際の各種データを保管管理しているＰＯＳサーバ１００および現金の自動預け払いの際の各種データを保管管理しているＡＴＭサーバ２００とＰＯＳ端末１とがネットワーク３００を介して接続されている。なおここで説明するＡＴＭサーバ２００とは、銀行等の金融機関において、顧客氏名や口座番号、預金金額等各種情報を保管管理しているサーバを示している。なおこの現金自動預け払い転用システム５００に接続されているＰＯＳ端末１であるが、このＰＯＳ端末１を店舗に１端末設置して接続させても、複数端末設置して接続させてもよい。
【００１６】
図４は、本実施形態に係るＰＯＳ端末１のシステム構成例を示すブロック図である。ＰＯＳ端末１は、本体１０とディスプレイ１１にて構成されている。また本体１０は、制御部５１を有しており、この制御部５１は、後述する角度センサ１３の検出値に基づき、ＰＯＳサーバ１００に接続してデータのやり取りを実行したり、ＡＴＭサーバ２００に接続してデータのやり取りを実行する。また外部インターフェイス（Ｉ／Ｆ）５７に接続されているプリンタ１４等の外部機器の駆動を制御する。
【００１７】
制御部５１は、例えば、ＭＰＵ（Ｍｉｃｒｏ  Ｐｒｏｃｅｓｓｉｎｇ  Ｕｎｉｔ）５２、ＲＯＭ（Ｒｅａｄ  Ｏｎｌｙ  Ｍｅｍｏｒｙ）５３、ＲＡＭ（Ｒａｎｄｏｍ  Ａｃｃｅｓｓ  Ｍｅｍｏｒｙ）５４およびＨＤＤ（Ｈａｒｄ  Ｄｉｓｃ  Ｄｒｉｖｅ）５５を有している。
【００１８】
ＭＰＵ５２は、ＲＯＭ５３およびＨＤＤ５５に格納された各種プログラムを読み出して実行することで動作する。またＭＰＵ５２は、時間設定や時間制御をおこなう手段としてタイマ５８を備えている。
【００１９】
ＲＯＭ５３は、ＭＰＵ５２が実行する各種プログラムや各種データテーブル等を記憶している。ここで、本実施形態のＭＰＵ５２は、角度センサ１３の検出結果によってＰＯＳ端末１を商品販売データ処理装置として運用するか、ＡＴＭ装置として運用するかを決定すると同時に、運用する装置に合致したプログラムを実行させ、また運用する装置に合致した外付機器を稼働させる。
【００２０】
ＲＡＭ５４は、ＭＰＵ５２が各種プログラムを実行する際に、一時的にデータやプログラムを記憶するメモリである。
【００２１】
また、Ｉ／Ｏコントローラ５６が、データバスによってＭＰＵ５２、ディスプレイ１１および外部Ｉ／Ｆ５７に接続している。
【００２２】
ディスプレイ１１には角度センサ１３が設けられており、現在ディスプレイ１１が前述の第１の回動位置、第２の回動位置の何れの状態であるかを制御部５１に送る様になっている。
【００２３】
外部Ｉ／Ｆ５７は、ＲＳ２３２ＣやＵＳＢなどのインターフェイスであり、商品販売データ処理装置、ＡＴＭ装置の何れとして運用するかによって、プリンタ１４、スキャナ１５、磁気／ＩＣカードリーダライタ１６、ＰＩＮｐａｄ１７、自動釣銭機１８およびドロワ１９などが接続される。なおこれら接続機器は一例であり、これ以外にも必要に応じて非接触ＩＣカードリーダライタなどを接続してもよい。
【００２４】
次に図５にて、ＰＯＳ端末１を商品販売データ処理装置として運用するか、ＡＴＭ装置として運用するかの切替の方法について説明する。
【００２５】
ＰＯＳ端末１の運用を開始すると（Ｓ１）、制御部５１はディスプレイ１１に設けられている角度センサ１３の検出結果を参照して現在ディスプレイ１１が第１の回動位置であるかを判断する（Ｓ２）。
【００２６】
第１の回動位置でない（Ｓ２のＮ）と判断した場合、制御部５１は現在ディスプレイ１１が第２の回動位置であるかを判断する（Ｓ３）。第２の回動位置でない（Ｓ３のＮ）と判断した場合は、現在ディスプレイ１１は第１、第２の何れの回動位置でもない位置になっている場合である。この場合は、ディスプレイ１１に、第１の回動位置もしくは第２の回動位置のいずれかの位置にディスプレイ１１を傾ける様回動指示の表示を行う（Ｓ４）。この回動指示表示は、制御部５１が、ディスプレイ１１が第１の回動位置もしくは第２の回動位置であるかを検出するまで継続される。
【００２７】
制御部５１が第１の回動位置である（Ｓ２のＹ）と判断した場合、ＰＯＳ端末１は商品販売データ処理装置として運用されるものである為、ＲＯＭ５３やＨＤＤ５５に保管されている商品販売データ処理装置用のプログラムであるＰＯＳプログラムを起動させる（Ｓ５）。
【００２８】
次に制御部５１は、外部Ｉ／Ｆ５７に接続されている外部接続機器の内、ＡＴＭ装置にのみ運用される接続機器が稼働しないように遮断する（Ｓ６）。例としてＰＯＳ端末１には現在、プリンタ１４、スキャナ１５、磁気／ＩＣカードリーダライタ１６、ＰＩＮｐａｄ１７、自動釣銭機１８およびドロワ１９が接続されているとして説明をする。
【００２９】
プリンタ１４に関しては商品販売データ処理装置として運用する場合はレシート出力に用い、ＡＴＭ装置として運用する場合は預金残額明細書の出力に用いる。すなわちプリンタ１４は商品販売データ処理装置とＡＴＭ装置の両方に用いる外部接続機器である。
【００３０】
スキャナ１５に関しては商品販売データ処理装置として運用する際には販売物品のバーコードを読み取る際に用いるが、ＡＴＭ装置としては運用しない。すなわちスキャナ１５は商品販売データ処理装置にのみ用いる外部接続機器である。
【００３１】
磁気／ＩＣカードリーダライタ１６、ＰＩＮｐａｄ１７に関しては、商品販売データ処理装置として運用する場合はクレジットカードの磁気コードやＩＣチップ部のデータの読み取り、クレジットカードの暗証番号入力等に用い、ＡＴＭ装置として運用する場合はキャッシュカードの磁気コードやＩＣチップ部のデータの読み取り、キャッシュカードの暗証番号入力等に用いる。すなわち磁気／ＩＣカードリーダライタ１６、ＰＩＮｐａｄ１７は商品販売データ処理装置とＡＴＭ装置の両方に用いる外部接続機器である。
【００３２】
自動釣銭機１８は、その中には紙幣や硬貨が入っている。この紙幣や硬貨に関する管理ＡＴＭサーバは金融機関等が管理している。従って自動釣銭機１８への紙幣等の出し入れはＡＴＭ装置として運用した場合のみに限られる。従って自動釣銭機１８はＡＴＭ装置にのみ用いる外部接続機器である。
【００３３】
ドロワ１９に関しては商品販売データ処理装置として運用する際には販売物品の代金を受領し保管する。この紙幣や硬貨に関してはＰＯＳ端末１を設置している店が管理しているものである。従ってドロワ１９への紙幣等の出し入れは商品販売データ処理装置として運用した場合のみに限られる。従ってドロワ１９は商品販売データ処理置にのみ用いる外部接続機器である。
【００３４】
この様に、全ての外部接続機器に関し、商品販売データ処理装置、ＡＴＭ装置の何れもしくは両方に用いる外部接続機器かが決められており、その情報はＲＯＭ５３の中に外部接続機器情報として保管されている。
【００３５】
そして、制御部５１は、ＲＯＭ５３の外部接続機器情報の中からＡＴＭ装置にのみ用いる外部接続機器、本実施形態では自動釣銭機１８との接続を遮断する（Ｓ６）。なおここでの遮断とは、接続ケーブルを切り離すのではなく、外部Ｉ／Ｆ５７と自動釣銭機１８との信号を遮断し、自動釣銭機１８が駆動しなくなるようにする事を意味している。
【００３６】
次に、客が持参した購入希望物品をスキャナ１５やドロワ１９等を用いて精算、すなわちＰＯＳ端末１を商品販売データ処理装置として運用する（Ｓ７）。なお商品販売データ処理装置として運用した際のＰＯＳ端末１内におけるデータ処理の方法、ＰＯＳサーバ１００とのデータのやり取り等の処理に関しては既知である為、説明を省略する。
【００３７】
商品販売データ処理装置としての運用が完了した場合終了する（Ｓ８）。なおここでの終了とは、一個人の取扱業務等の処理の終了であり、この一業務が終了すると、ディスプレイ１１の回動位置の確認へと移行する。
【００３８】
制御部５１はディスプレイ１１に設けられている角度センサ１３の検出結果を参照して現在のディスプレイが第１の回動位置であるかを判断し（Ｓ２）、第１の回動位置でない（Ｓ２のＮ）と判断した場合、制御部５１は次に、現在ディスプレイ１１が第２の回動位置であるかを判断する（Ｓ３）。第２の回動位置である（Ｓ３のＹ）と判断した場合は、ＰＯＳ端末１はＡＴＭ装置として運用されるものである為、ＲＯＭ５３やＨＤＤ５５に保管されているＡＴＭ装置用のプログラムを起動させる（Ｓ９）。次に制御部５１は、外部Ｉ／Ｆ５７に接続されている外部接続機器の内、商品販売データ処理装置にのみ運用される接続機器が稼働しないように遮断する。前述の例としては、スキャナ１５およびドロワ１９がこれに該当する。
【００３９】
制御部５１は、ＲＯＭ５３の外部接続機器情報の中から商品販売データ処理装置にのみ用いる外部接続機器である、スキャナ１５およびドロワ１９との接続を遮断する（Ｓ１０）。
【００４０】
次に、ＡＴＭ装置としてＰＯＳ端末１を運用する（Ｓ１１）。なおＡＴＭ装置として運用した際のデータ処理の方法、キャッシュカードとＡＴＭサーバ２００とのデータのやり取り等の処理に関しては既知である為、説明を省略する。
【００４１】
ＡＴＭ装置としての運用が完了した場合、終了する（Ｓ１２）。なおここでの終了とは、一個人の取扱業務等の処理の終了であり、この一業務が終了するとディスプレイ１１の回動位置の確認へと移行する。
【００４２】
この様に、ＰＯＳ端末１にディスプレイ１１の角度を検出する角度センサ１３を設け、この角度センサ１３の検出結果を元にＰＯＳ端末１を商品販売データ処理装置として運用するかＡＴＭ装置として運用するかを決定し、またその装置に合致したプログラムを起動させる。装置に合致したプログラムはその装置として接続すべき接続サーバに接続が可能であり、それぞれ処理を行う事が可能となる。これにより１台の装置で商品販売データ処理装置とＡＴＭ装置とに切替えて運用する事が可能となり、商品販売データ処理装置とＡＴＭ装置とを専用機としてそれぞれ設置する必要がなくなる。
【００４３】
また商品販売データ処理装置とＡＴＭ装置において、一方の装置として運用している状態では、他方の装置のみに運用する外部接続機器との接続を遮断する為、間違って他方の外部接続機器を運用してしまう心配がなくなる。
【００４４】
（第２の実施形態）
第２の実施形態は、ディスプレイ１１の角度を検出し、ディスプレイ１１の画面表示が見難いすなわち視認性に優れていない回動位置の状態の時にＡＴＭ装置として運用すると言うものである。
【００４５】
商品販売データ装置、ＡＴＭ装置の何れの運用時においても、ディスプレイ１１の画面には各種表示がなされる。しかしながら、商品販売データ装置として運用される際にディスプレイ１１に表示される内容に比べ、ＡＴＭ装置として運用される際にディスプレイ１１に表示させる内容の方が、キャッシュカードの暗証番号、取引金額、口座残額等他人に知らせたくない情報が多い。
【００４６】
視認性に優れているという事は、他人に覗き見られる可能性が高い為、視認性に優れていない回動位置の状態の時にＡＴＭ装置として運用させる事はセキュリティの観点からも望ましい。
【００４７】
図６を用いて、視認性について説明する。図６（ａ）が第１の回動位置であり、図６（ｂ）が第２の回動位置である。
【００４８】
ここでＰＯＳ端末１の設置面から高さｈの位置で、またＰＯＳ端末１の端面よりｘだけ離れた位置であるＰ点およびＱ点からディスプレイ１１を見た場合を考える。ディスプレイ１１の表示内容に対して一番視認性が高いのはディスプレイ１１の表面との成す角度が直角の状態であり、このディスプレイ１１の表面との成す角度が９０度に近いほど視認性は高くなる。
【００４９】
Ｐ点およびＱ点からディスプレイ１１を見た際の角度はそれぞれθＰとθＱであり、θＰとθＱを比較するとθＱの方が９０度に近い。よって第１の回動位置の方が視認性が低いと言える。同じようにＰＯＳ端末１の設置面から高さｈの位置で、またＰＯＳ端末１の端面よりｙだけ離れた位置であるＲ点およびＳ点からディスプレイ１１を見た場合でも、θＳの方がθＲに比べ９０度に近い。よって第１の回動位置の方が視認性が低いと言える。これはＰＯＳ端末１の端面がｙより離れても同様である。
【００５０】
知らせたくない情報を他人に覗き見られる可能性が高いのは、ディスプレイ１１から離れた位置に他人がいる場合である。覗き見る他人がディスプレイ１１に近接しない限り第１の回動位置の方が視認性が高くなることはない。従って図６（ａ）に示す第１の回動位置と図６（ｂ）に示す第２の回動位置では、図６（ａ）に示す第１の回動位置の方が視認性が低いと言える。
【００５１】
以下第２の実施形態を図７を用いて説明する。なお第1の実施形態と同じ内容についてはその詳細な説明を省略する。
【００５２】
ＰＯＳ端末１の運用を開始すると（Ｓ２１）、制御部５１はディスプレイ１１に設けられている角度センサ１３の検出結果を参照して現在ディスプレイ１１が第１の回動位置であるかを判断する（Ｓ２２）。
【００５３】
第１の回動位置でない（Ｓ２２のＮ）と判断した場合、制御部５１は次に現在ディスプレイ１１が第２の回動位置であるかを判断する（Ｓ２３）。第２の回動位置でない（Ｓ２３のＮ）と判断した場合は、現在ディスプレイ１１は第１、第２の何れの回動位置でもない位置になっている場合である。この場合は、ディスプレイ１１に、第１の回動位置もしくは第２の回動位置のいずれかの位置にディスプレイ１１を傾ける様回動指示の表示を行う（Ｓ２４）。この回動指示表示は、制御部５１がディスプレイ１１が第１の回動位置もしくは第２の回動位置であるかを検出するまで継続される。
【００５４】
第１の回動位置である（Ｓ２２のＹ）と判断した場合、ＰＯＳ端末１はＡＴＭ端末として運用されるものである為、ＲＯＭ５３やＨＤＤ５５に保管されているＡＴＭ装置用のプログラムを起動させる（Ｓ２５）。次に制御部５１は、外部Ｉ／Ｆ５７に接続されている外部接続機器の内、商品販売データ処理装置にのみ運用される接続機器が稼働しないように遮断する。前述の例としてはスキャナ１５およびドロワ１９がこれに該当する。
【００５５】
制御部５１は、前述のＲＯＭ５３の外部接続機器情報の中から商品販売データ処理装置のみに用いる外部接続機器であるスキャナ１５およびドロワ１９との接続を遮断する（Ｓ２６）。
【００５６】
次にＡＴＭ装置としてＰＯＳ端末１を運用する（Ｓ２７）。なおＡＴＭ装置として運用した際のデータ処理の方法、キャッシュカードとＡＴＭサーバ２００とのデータのやり取り等の処理に関しては既知である為、説明を省略する。
【００５７】
ＡＴＭ装置として運用が完了した場合終了する（Ｓ２８）。なおここでの終了とは、一個人の取扱業務等の処理の終了であり、この一業務が終了すると、ディスプレイ１１の回動位置の確認へと移行する。
【００５８】
制御部５１はディスプレイ１１に設けられている角度センサ１３の検出結果を参照して現在のディスプレイが第１の回動位置であるかを判断し（Ｓ２２）、第１の回動位置でない（Ｓ２２のＮ）と判断した場合、制御部５１は次に、現在ディスプレイ１１が第２の回動位置であるかを判断する（Ｓ２３）。第２の回動位置である（Ｓ２３のＹ）と判断した場合は、ＰＯＳ端末１は商品販売データ処理装置として運用されるものである為、ＲＯＭ５３やＨＤＤ５５に保管されている商品販売データ処理装置用のプログラムであるＰＯＳプログラムを起動させる（Ｓ２９）。
【００５９】
次に制御部５１は、外部Ｉ／Ｆ５７に接続されている外部接続機器の内、ＡＴＭ装置のみに運用される接続機器が稼働しないように遮断する。前述の例としては自動釣銭機１８がこれに該当する。
【００６０】
制御部５１はＲＯＭ５３の外部接続機器情報の中から、ＡＴＭ装置のみに用いる外部接続機器である自動釣銭機１８との接続を遮断する（Ｓ３０）。
【００６１】
次にＰＯＳ端末１を商品販売データ処理装置として運用する（Ｓ３１）。なお商品販売データ処理装置として運用した際のＰＯＳ端末１内におけるデータ処理の方法、ＰＯＳサーバ１００とのデータのやり取り等の処理に関しては既知である為、説明を省略する。
【００６２】
商品販売データ処理装置としての運用が完了した場合、処理を終了する（Ｓ３２）。なおここでの終了とは、一個人への販売業務等の処理の終了であり、この一業務が終了すると、ディスプレイ１１の回動位置の確認へと移行する。
【００６３】
以上の様に、ディスプレイ１１の第１の回動位置および第２の回動位置において、ＡＴＭ装置として運用する場合は、ディスプレイ１１の視認性に優れていない回動位置にて運用する事で、セキュリティが向上する事となる。
【００６４】
（第３の実施形態）
第３の実施形態は、ＰＯＳ端末１を商品販売データ処理装置、ＡＴＭ装置の何れにも運用していない場合、ディスプレイ１１に広告表示を行うものである。
【００６５】
以下第３の実施形態を図８を用いて説明する。なお第１、第２の実施形態と同じ内容についてはその詳細な説明を省略する。
【００６６】
ＰＯＳ端末１の運用を開始すると（Ｓ４１）、制御部５１はディスプレイ１１に設けられている角度センサ１３の検出結果を参照して現在のディスプレイが第１の回動位置であるかを判断する（Ｓ４２）。
【００６７】
第１の回動位置でない（Ｓ４２のＮ）と判断した場合、制御部５１は次に現在ディスプレイ１１が第２の回動位置であるかを判断する（Ｓ４３）。第２の回動位置でない（Ｓ４３のＮ）と判断した場合は、現在ディスプレイ１１は第１、第２の何れの回動位置でもない位置になっている場合である。この場合は、ディスプレイ１１に、第１の回動位置もしくは第２の回動位置のいずれかの位置にディスプレイ１１を傾ける様回動指示の表示を行う（Ｓ４４）。この回動指示表示は、制御部５１がディスプレイ１１が第１の回動位置もしくは第２の回動位置であるかを検出するまで継続される。
【００６８】
制御部５１が第１の回動位置である（Ｓ４２のＹ）と判断した場合、ＰＯＳ端末１はＡＴＭ装置として運用されるものである為、ＲＯＭ５３やＨＤＤ５５に保管されているＡＴＭ装置用のプログラムを起動させる（Ｓ４５）。次に制御部５１は、外部Ｉ／Ｆ５７に接続されている外部接続機器の内、商品販売データ処理装置にのみ運用される接続機器が稼働しないように遮断する（Ｓ４６）。
【００６９】
次に、ＰＯＳ端末１をＡＴＭ装置として運用する（Ｓ４７）。なおＡＴＭ装置として運用した際のデータ処理の方法、キャッシュカードとＡＴＭサーバ２００とのデータのやり取り等の処理に関しては既知である為、説明を省略する。ＡＴＭ装置としての運用が完了した場合、処理を終了する（Ｓ４８）。なおここでの終了とは、一個人の取扱業務等の処理の終了であり、この一業務が終了すると、ディスプレイ１１の回動位置の確認へと移行する。
【００７０】
制御部５１はディスプレイ１１に設けられている角度センサ１３の検出結果を参照して現在のディスプレイが第１の回動位置であるかを判断し（Ｓ４２）、第１の回動位置でない（Ｓ４２のＮ）と判断した場合、制御部５１は次に、現在ディスプレイ１１が第２の回動位置であるかを判断する（Ｓ４３）。第２の回動位置である（Ｓ４３のＹ）と判断した場合は、ＰＯＳ端末１は商品販売データ処理装置として運用されるものである為、ＲＯＭ５３やＨＤＤ５５に保管されている商品販売データ処理装置用のＰＯＳプログラムを起動させる（Ｓ４９）。次に制御部５１は、外部Ｉ／Ｆ５７に接続されている外部接続機器の内、ＡＴＭ装置にのみ運用される接続機器が稼働しないように遮断する（Ｓ５０）。
【００７１】
次に、商品販売データ処理装置としてＰＯＳ端末１を運用する（Ｓ５１）。なお商品販売データ処理装置として運用した際のＰＯＳ端末１内におけるデータ処理の方法、ＰＯＳサーバ１００とのデータのやり取り等の処理に関しては既知である為、説明を省略する。
【００７２】
商品販売データ処理装置としての運用が完了した場合、終了する（Ｓ５２）。なおここでの終了とは、一個人への販売業務等の処理の終了である。この後、必要に応じてディスプレイ１１の画面を何も表示しないスリープ状態としても良い。
【００７３】
またＭＰＵ５２はタイマ５８を有している。ＰＯＳ端末１を商品販売データ処理装置としての運用が完了した場合（Ｓ５２）、タイマ５８はカウントがリセットされ（Ｓ５３）、引き続きタイマのカウントが開始される（Ｓ５４）。
【００７４】
ここで一定時間ごとに商品販売データ処理装置に変化の発生があったかを確認する（Ｓ５５）。この変化の発生とは、商品販売データ処理の運用を再開した場合や、ディスプレイ１１の画面を触れる事で、スリープ状態を解除した場合等である。
【００７５】
変化が発生した場合（Ｓ５５のＹ）はディスプレイ１１の回動位置への確認へと移行する。
【００７６】
変化の発生がない場合（Ｓ５５のＮ）、制御部５１はタイマ５８が設定時間を経過しているかを確認する（Ｓ５６）。この設定時間とは、予めＰＯＳ端末１の設置者が設定する事が可能な時間であり、ＰＯＳ端末１がどの程度の時間運用されなかったらディスプレイ１１の画面を広告表示に変更させるかの移行時間である。
【００７７】
設定時間が経過していない場合（Ｓ５６のＮ）、変化が発生しているかの確認（Ｓ５５）へ戻る。
【００７８】
設定時間が経過している場合（Ｓ５６のＹ）、ＲＯＭ５３若しくはＨＤＤ５５に予め保管してある広告情報をディスプレイ１１に表示する（Ｓ５７）。この広告表示は変化の発生がない（Ｓ５８のＮ）場合は表示が継続され、変化が発生した場合（Ｓ５８のＹ）、ディスプレイ１１の回動位置への確認へと移行する。
【００７９】
この様に、ＰＯＳ端末１を商品販売データ処理装置、ＡＴＭ装置の何れにも運用していない場合、ディスプレイ１１に広告表示を行うものであり、広告媒体としてもＰＯＳ端末１を運用する事が可能である。また予め設定した時間を経過しないと広告表示に移行しない為、ＰＯＳ端末１が頻繁に運用されている状態において、客と客との間の僅かな時間に広告表示に切り替える必要が発生しない。
【００８０】
なお広告としての表示である為、広告の表示は、ディスプレイ１１の第１の回動位置および第２の回動位置において、ディスプレイ１１の視認性に優れている回動位置である第２の回動位置にて運用する事が望ましいが、第１の回動位置および第２の回動位置の何れの回動位置においても広告の表示をさせても良い。
【００８１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００８２】
１：ＰＯＳ端末
１０：本体
１１：ディスプレイ
１２：ヒンジ
１３：角度センサ 
１４：プリンタ
１５：スキャナ
１６：磁気リーダライタ
１７：ＰＩＮｐａｄ
１８：自動釣銭機
１９：ドロワ
【図１】
2014235647.tif 000003
【図２】
2014235647.tif 000004
【図３】
2014235647.tif 000005
【図４】
2014235647.tif 000006
【図５】
2014235647.tif 000007
【図６】
2014235647.tif 000008
【図７】
2014235647.tif 000009
【図８】
2014235647.tif 000010